(57)【要約】【課題】  成りすましに対するセキュリティの信頼性を向上させると共に、消費電力を抑制することができる被写体認証装置、携帯電話、被写体認証方法、及び被写体認証プログラムを提供する。【解決手段】  撮影手段により被写体を撮影した撮影画像に基づいて被写体を認証する認証処理を行う被写体認証装置の制御手段を、前記認証処理により適合であると判定した後も認証処理を反復して実行する認証反復処理と、前記認証処理の反復を停止する反復停止指示を入力手段により受け付ける反復停止指示受付処理と、受け付けた反復停止指示を予め登録された正規指示と比較して真偽判定する真偽判定処理と、該真偽判定処理の判定結果が真であった場合に前記認証反復処理を停止する反復停止処理とを実行する構成とした。【選択図】    図３
2006259922.tif 000002
【特許請求の範囲】
【請求項１】
被写体を撮影する撮影手段を備え、該撮影手段により被写体を撮影した撮影画像に基づいて被写体を認証する認証処理を行う被写体認証装置であって、
被写体による入力を受け付ける入力手段と、
これらを制御する制御手段とを備え、
該制御手段を、
前記認証処理により適合であると判定した後も認証処理を反復して実行する認証反復処理と、
前記認証処理の反復を停止する反復停止指示を前記入力手段により受け付ける反復停止指示受付処理と、
受け付けた反復停止指示を予め登録された正規指示と比較して真偽判定する真偽判定処理と、
該真偽判定処理の判定結果が真であった場合に前記認証反復処理を停止する反復停止処理とを実行する構成とした
被写体認証装置。
【請求項２】
前記制御手段を、
前記反復停止処理の実行後、予め定めた再開条件を満たすと前記認証反復処理を再開する認証再開処理を実行する構成とした
請求項１記載の被写体認証装置。
【請求項３】
前記反復停止指示受付処理を、認証処理により適合であると判定した後に実行する構成とした
請求項１または２記載の被写体認証装置。
【請求項４】
前記認証反復処理を、前記認証処理を不定期に反復する構成とした
請求項１、２または３被写体認証装置。
【請求項５】
請求項１、２または３記載の被写体認証装置を備え、
前記撮影手段により、被写体として顔を撮影する構成とした
顔認証装置。
【請求項６】
請求項１、２または３記載の被写体認証装置を備えた
携帯電話機。
【請求項７】
撮影手段により被写体を撮影した撮影画像に基づいて被写体を認証する認証処理を行う被写体認証方法であって、
前記認証処理により適合であると判定した後も認証処理を反復して実行し、
前記認証処理の反復を停止する反復停止指示を入力手段により受け付け、
受け付けた反復停止指示を予め登録された正規指示と比較して真偽判定し、
該真偽判定の判定結果が真であった場合に前記認証処理の反復を停止する
被写体認証方法。
【請求項８】
撮影手段により被写体を撮影した撮影画像に基づいて被写体を認証する認証処理を行う被写体認証プログラムであって、
前記認証処理により適合であると判定した後も認証処理を反復して実行する認証反復処理と、
前記認証処理の反復を停止する反復停止指示を入力手段により受け付ける反復停止指示受付処理と、
受け付けた反復停止指示を予め登録された正規指示と比較して真偽判定する真偽判定処理と、
該真偽判定処理の判定結果が真であった場合に前記認証反復処理を停止する反復停止処理とを実行する構成とした
被写体認証プログラム。
【発明の詳細な説明】
【技術分野】
【０００１】
この発明は、例えば人の顔や虹彩や掌紋等の被写体を撮影し該被写体を認証するような被写体認証装置、携帯電話、被写体認証方法、及び被写体認証プログラムに関する。
【背景技術】
【０００２】
従来、本人認証を行うシステムとして、顔を撮影して認証する顔認証システム、虹彩を撮影して認証する虹彩認証システム、手の掌紋を撮影して認証する掌紋認証システムなど、種々の認証システムが提案されている。
【０００３】
これらの認証システムは、顔、目、または手といった被写体を撮影して認証するものであり、パーソナルコンピュータ、携帯情報端末、ＡＴＭ、あるいは車両など、種々の装置に搭載して活用することが可能である。
【０００４】
しかし、例えば写真等を用いて成りすましが行われた場合、一度認証結果が適合となると、本人であるとしてそれ以降の装置の使用や操作を全て許可してしまうという問題が生じる。
【０００５】
この問題を解決するものとして、セキュリティの信頼性を向上させる車両監視装置が提案されている（特許文献１参照）。この車両監視装置は、乗員の画像を繰り返し取得して、認証結果が一度適合であっても再度認証するものであり、これによって例えば人面マスクを装着した状態での成りすましが検出できるとされている。
【０００６】
しかし、この車両監視装置では、利用者は正しく認証される状態で繰り返し撮影を受けなければならず、利用者にとって不便であるという問題点が残っていた。  
また、本人の了解の上で他人に利用許可するような場合に対応できず、例えば車両の運転を変わってもらうこともできないという問題点もあった。
【０００７】
【特許文献１】特開２００４−２７６７８３号公報
【発明の開示】
【発明が解決しようとする課題】
【０００８】
この発明は、上述の問題に鑑み、成りすましに対するセキュリティの信頼性の確保と、利用者の利便性の向上とを両立できる被写体認証装置、携帯電話、被写体認証方法、及び被写体認証プログラムを提供することを目的とする。
【課題を解決するための手段】
【０００９】
この発明は、被写体を撮影する撮影手段を備え、該撮影手段により被写体を撮影した撮影画像に基づいて被写体を認証する認証処理を行う被写体認証方法、被写体認証装置、又は被写体認証プログラムであって、被写体による入力を受け付ける入力手段と、これらを制御する制御手段とを備え、該制御手段を、前記認証処理により適合であると判定した後も認証処理を反復して実行する認証反復処理と、前記認証処理の反復を停止する反復停止指示を前記入力手段により受け付ける反復停止指示受付処理と、受け付けた反復停止指示を予め登録された正規指示と比較して真偽判定する真偽判定処理と、該真偽判定処理の判定結果が真であった場合に前記認証反復処理を停止する反復停止処理とを実行する構成とした被写体認証方法、被写体認証装置、又は被写体認証プログラムであることを特徴とする。
【００１０】
前記反復処理は、ランダムなタイミングで認証処理を反復する、または、予め定めたタイミング（時間間隔、あるいは特定の操作）で認証処理を反復するなど、認証処理を繰り返す処理で構成することができる。
【００１１】
前記反復停止指示と正規指示とは、パスワード入力、指紋入力、声紋入力、または音声による言葉の入力など、認証処理による認証方式と異なる方式で認証可能な入力指示により構成することが望ましい。
【００１２】
前記構成により、被写体を繰り返して認証することができ、写真等による成りすましを困難にすることができる。すなわち、一度成りすましに成功したとしても、繰り返される認証処理において何度も成りすましに成功しなければならないため、成りすましが困難になる。
【００１３】
また、利用者は、本人認証を受けられない状況になる前に、認証処理の反復を停止させておくことができる。従って、例えば携帯電話機で顔照合による認証処理を実行する構成とした場合に、携帯電話機を耳にあてて通話している間は認証処理を行わないようにして、通話を継続することができる。
【００１４】
この発明の態様として、前記制御手段を、前記反復停止処理の実行後、予め定めた再開条件を満たすと前記認証反復処理を再開する認証再開処理を実行する構成とすることができる。
【００１５】
前記予め定めた再開条件は、予め定めた操作が行われたこと、予め定めた動作が実行されたこと、あるいは、予め定めた一定期間が経過したことなど、適宜の条件に定めることができる。
【００１６】
これにより、認証処理の反復を停止した後に反復を再開する手間を省くことができ、認証処理停止の状態が長期間続くことを防止できる。
【００１７】
またこの発明の態様として、前記反復停止指示受付処理を、認証処理により適合であると判定した後に実行する構成とすることができる。  
これにより、認証処理が行われる前に反復停止指示が入力されて不正使用されることを防止でき、セキュリティの信頼性確保と利便性向上の両立を図ることができる。
【００１８】
またこの発明の態様として、前記認証反復処理を、前記認証処理を不定期に反復する構成とすることができる。  
これにより、不正利用者に認証処理のタイミングを看破されないようにでき、写真等を用いた成りすましを困難にすることができる。すなわち、タイミングが不定期であるため、認証処理の撮影タイミングにあわせて写真をかざすといったことは困難であり、成りすましを防止することができる。
【００１９】
またこの発明は、前記被写体認証装置を備え、前記撮影手段により、被写体として顔を撮影する構成とした顔認証装置とすることができる。  
これにより、指紋や虹彩などに比べて心理的な抵抗感が少なく、また顔見知りや顔パスなどの習慣からも受け入れやすい顔認証で、写真による成りすましを適切に排除することができる。
【００２０】
またこの発明は、前記被写体認証装置を備えた携帯電話機とすることができる。  
これにより、携帯電話機の不正利用を防止することができる。
【発明の効果】
【００２１】
この発明により、成りすましに対するセキュリティの信頼性の確保と、利用者の利便性の向上とを両立することができる。
【発明を実施するための最良の形態】
【００２２】
この発明の一実施形態を以下図面と共に説明する。  
まず、図１に示す被写体認証装置１の斜視図と共に、実施例１の被写体認証装置１の構成について説明する。
【００２３】
被写体認証装置１は、携帯情報端末の一種である携帯電話機によって構成されており、正面に上から順に音声出力用のスピーカ１１、画像表示を行う液晶モニタ１４、操作入力用の複数の操作ボタン１６、及び音声入力用のマイク１８が設けられている。
【００２４】
前記スピーカ１１の右横には、撮影用のカメラ１２と照明装置１３とが上下に近接して設けられている。この撮影用のカメラ１２と照明装置１３と前記液晶モニタ１４とは、被写体認証装置１の同一面上（本実施形態では表面）に、カメラ１２の撮影方向と照明装置１３の照明方向と液晶モニタ１４の表示方向とが同一方向になるように配設されている。前記照明装置１３は、閃光するフラッシュ照明装置、あるいは点灯する点灯照明装置（例えばＬＥＤや蛍光灯）など、適宜の照明装置で構成されている。
【００２５】
また、被写体認証装置１の右側面には、カメラ１２のシャッタボタン１５が設けられている。そして、被写体認証装置１の正面下部には、前後回動する開閉カバー１９が枢着されており、該開閉カバー１９が、閉状態で複数の操作ボタン１６を被覆し保護する構成となっている。
【００２６】
また、被写体認証装置１の背面上部には、無線通信用のアンテナ１０が備えられている。そして、被写体認証装置１の内部には、ＣＰＵ、ＲＯＭ、及びＲＡＭで構成される制御装置や、動作電力供給用の充電池が設けられている。この制御装置には、記憶部も設けられており、この記憶部内に、生体認証の一種である顔照合用の登録データや入力操作の真偽判定用の正規操作データが登録されるデータベース、及び、顔照合による認証を反復して実行する被写体認証プログラムが記憶されている。
【００２７】
以上の構成により、被写体認証装置１は、操作ボタン１６が操作されて架電（発信）すること、及び着信を操作ボタン１６の操作により受けることができ、遠隔地の電話機との音声通話を許容することができる。また、操作ボタン１６が操作されることで、インターネット接続によるコンテンツ表示や電子メールの送受信を行うことができる。
【００２８】
また、カメラ１２による静止画や動画の撮影を実行でき、液晶モニタ１４に撮影画像を表示することができる。そして、この撮影で得た撮影画像により、被写体の個人認証を行うことができる。
【００２９】
次に、図２に示すブロック図と共に、被写体認証装置１の構成について説明する。この説明では、個人認証に必要な撮影機能と認証機能に関する要素について説明し、他の要素については省略する。
【００３０】
被写体認証装置１は、電源部４１、タイマー４２、時間判断部４３、顔照合部４４、及び照合結果出力部４５により構成している。
【００３１】
前記電源部４１は、充電池と電源ボタン（図１に示した操作ボタン１６のうちの１つ）により構成されており、電源ボタンのＯＮによって各構成要素に動作電力を供給する。
【００３２】
前記タイマー４２は、被写体認証装置１の制御装置により構成されており、前記電源部４１からの動作電力の供給を受けて時間の計時を実行する。
【００３３】
前記時間判断部４３は、前記タイマー４２により計時されている時間を受け取り、顔照合を実行するタイミングか否かを判断する。このタイミングは、例えばランダムに定める時間間隔によって決定する。
【００３４】
前記顔照合部４４は、被写体認証装置１の制御装置とカメラ１２とで構成されており、カメラ１２によって取得した撮影画像と、制御装置の記憶部に記憶されている登録データとの顔照合を行い、適合（同一人物）か否か判定する。この登録データは、予め登録された利用者の撮影画像データであり、本実施の形態では、利用者にとって心理的な抵抗が少ない顔画像を用いる。なお、登録データは画像データに限らず、この画像データから特徴点や特徴量を抽出した特徴データにより構成してもよい。
【００３５】
前記照合結果出力部４５は、顔照合の結果、すなわち認証結果として、適合と不適合のいずれかを出力する。
【００３６】
以上の構成により、顔照合を不定期に繰り返して断続的に実行し、不正利用者が成りすましにより被写体認証装置１を使用し続けることを防止できる。
【００３７】
次に、図３に示す被写体認証装置１の制御装置が実行する動作を示すフローチャートと共に、被写体認証プログラムによって制御装置が実行する反復認証処理の動作について説明する。
【００３８】
利用者によって携帯電話機（被写体認証装置１）の使用が開始されると、制御装置はタイマー４２による計時を開始する（ステップｎ１）。  
制御装置は、時間判断部４３により顔照合を実行する時間をランダムに決定し、このランダムに決定した時間（照合実行タイミング）になるまで利用者の通常使用を許可しつつ待機する（ステップｎ２：Ｎｏ）。
【００３９】
ランダムに決定した時間になると（ステップｎ２：Ｙｅｓ）、制御装置は、カメラ１２による撮影を実行し、この撮影により取得した撮影画像と登録データによる顔照合を顔照合部４４により実行する（ステップｎ３）。
【００４０】
顔照合における顔画像データと登録データとの比較では、撮影画像から本人固有の特徴量を求め、登録データの特徴量と比較（照合）して、特徴量の差が予め定めた一定の閾値以内であれば、同一人物であると判定する。
【００４１】
前記本人固有の特徴量は、例えば、撮影画像の顔画像から取得した特徴点に、ガボールウェーブレット変換を用いて求めることができる。この特徴点は、顔のラフな位置から顔部分を切り出し、顔の大きさを正規化し、さらに詳細なグラフを当てはめて、顔の特徴点の位置を詳細に検出することで取得することができる。なお、ガボールウェーブレット変換とは、信号解析や画像圧縮に用いられる手法で、変換対象から、ウェーブレット波形を利用して、その波形が持つ特徴（周波数成分など）のみを取り出すことをいう。
【００４２】
顔照合の結果、本人であると認証できなかった場合は（ステップｎ４：Ｎｏ）、照合結果出力部４５が制御装置に認証結果として不適合の情報を出力する。これにより制御装置は、機器の使用、すなわち携帯電話機の使用を停止する（ステップｎ５）。この使用停止は、例えば通話中や設定変更中やＷＥＢ通信中などの動作中であれば、その動作を停止し、以降の操作入力を拒否する。
【００４３】
なお、この状態では、使用再開するための認証要求操作だけは許容する構成にするとよい。この使用再開の認証要求操作は、例えばシャッタボタン１５の押下など予め定めた操作とし、この認証要求操作を受け付けると、制御装置は、前記ステップｎ３と同一の顔照合を実行する構成とすればよい。顔照合の結果が適合であれば、通常の状態に戻ってステップｎ１から実行し、顔照合の結果が不適合であれば、携帯電話機の使用を停止した状態を維持する。なお、この再開のための認証（再開用認証）は、顔照合以外の認証としてもよく、例えばパスワードや指紋や音声や言葉等による認証としてもよい。
【００４４】
顔照合の結果が適合であれば（ステップｎ４：Ｙｅｓ）、照合結果出力部４５が制御装置に認証結果として適合の情報を出力する。これにより制御装置は、機器の使用、すなわち携帯電話機の使用を許可する（ステップｎ６）。従って、利用者は携帯電話機の使用を継続することができ、何ら支障なく使用できる。つまり、利用者から見れば、前記顔照合は携帯電話機によって勝手に実行されるため、登録されている正規の利用者は、顔照合に関して特に意識することなく、普通に携帯電話機を使用することができる。
【００４５】
制御装置は、照合の繰り返しの停止が可能である旨を出力し、繰り返し照合を停止する旨の入力が利用者によって行われなければ（ステップｎ７：Ｎｏ）、時間判断部４３により顔照合を実行する時間をランダムに決定し、このランダムに決定した時間（照合実行タイミング）になるまで待機する（ステップｎ８：Ｎｏ）。
【００４６】
ここで、照合の繰り返しの停止が可能である旨の出力は、液晶モニタ１４による表示、または／およびスピーカ１１による音声出力により行うことができる。液晶モニタ１４により表示する場合には、画面上に停止するか否かを選択させる選択画面を表示する、あるいは、停止が可能なことを示すアイコンを画面の片隅等に表示するといったことで、報知することができる。
【００４７】
なお、停止可能である旨の表示や音声案内は、実行しなくてもよい。この場合、利用者の操作により、決められたキーシーケンスで繰り返し照合の停止機能画面に入ってから、停止要否の選択表示を行うようにしてもよい。これにより、繰り返して実行する認証を停止できることを、不正利用者に気付かせないことができ、成りすましをより確実に防止することができる。
【００４８】
前記ステップｎ８でランダムに決定した時間になれば、ステップｎ３にリターンする。  
前記ステップｎ７で停止する旨の入力が行われた場合には（ステップｎ７：Ｙｅｓ）、制御装置は、反復停止指示としてパスワード入力を要求する出力を行い、利用者によるパスワード入力を受け付ける（ステップｎ９）。パスワード入力を要求する出力は、液晶モニタ１４による表示、スピーカ１１による音声出力、またはこの両方により行うことができる。液晶モニタ１４により表示する場合には、画面上にパスワード入力を要求するパスワード入力画面を表示する、あるいは、パスワード入力状態であることを示すアイコンを画面の片隅等に表示するといったことで、利用者にパスワード入力待ちであることを通知できる。
【００４９】
パスワードが入力されて入力完了入力（例えばＯＫボタンの押下など）が行われると、制御装置は、正規指示として登録されているパスワードと一致するか否か判定し、これによって本人か否か判定する（ステップｎ１０）。
【００５０】
本人でなかった場合、つまり入力されたパスワードが正しくなかった場合は（ステップｎ１０：Ｎｏ）、機器の使用、すなわち携帯電話機の使用を停止し（ステップｎ１１）、処理を終了する。
【００５１】
本人であった場合、つまり入力されたパスワードが正しかった場合は（ステップｎ１０：Ｙｅｓ）、機器の使用、すなわち携帯電話機の使用を継続して許可する（ステップｎ１２）。
【００５２】
制御装置は、電源ＯＦＦになるまで待機し（ステップｎ１３：Ｎｏ）、電源ＯＦＦとなれば（ステップｎ１３：Ｙｅｓ）、処理を終了する。
【００５３】
以上の動作により、図４のタイミングチャートの（Ａ）に示すように、機器が使用されている間、顔照合による本人認証を不定期に繰り返して実行することができる。
【００５４】
そして、顔照合による本人認証の実行を停止したい場合には、利用者は、パスワードを入力して以降の顔照合を停止することができる。これにより、図４の（Ｂ）に示すように顔照合が停止し、利用者がテレビ電話ではなく通常の音声通話を行うような場合に、耳に携帯電話機を当てた顔照合不可能な状態での使用を行うことができる。またこの停止により、認証処理の繰り返しによって充電池の電力が消耗することを抑制することができる。
【００５５】
パスワード入力による顔照合の停止は、少なくとも一回は顔照合を受けた後でなければ実行できない構成としているため、パスワードだけが破られて機器が不正に使用されるといったことを防止できる。
【００５６】
また、繰り返し実行する顔照合は、利用者に予告することなく不定期に実行するため、不正利用者にその顔照合のタイミング、すなわち撮影タイミングが知られることがなく、成りすましを排除することができる。
【００５７】
そして、電源ＯＦＦとなれば、次に電源ＯＮ後の機器使用時にはステップｎ１から始まって、図４の（Ｃ）に示すように不定期の顔照合を再開するため、顔照合を停止した状態で長期間経過することを防止できる。
【００５８】
なお、以上の実施形態では、機器の使用が開始されれば認証処理を実行する構成としたが、着信時は顔照合を行わずに使用許可する構成としてもよい。これにより、着信に気付いた利用者は、照合機能停止の操作を行うことなく電話に出ることができる。そして、携帯電話機をテレビ電話のように使用するのではなく音声通話だけを行う場合に、携帯電話機が耳に当てられることで顔画像が得られない状態であっても、通話の継続を許容することができ、利用者の利便性が向上する。
【００５９】
また、架電時は、架電操作の際に顔照合を実行し、適合と判定すればパスワード入力可能とし、その後に架電する構成としてもよい。これにより、音声通話を行う場合は、利用者がパスワード入力して反復認証を停止し、通話を行うことができる。従って、音声通話中に反復認証が実行されて携帯電話機が使用禁止になることを防止でき、この使用禁止により通話が中断されることを防止できる。そして、テレビ電話として音声通話と映像送受信を行う場合は、利用者がパスワード入力をしなくとも、反復認証を受けながら通話することができる。
【００６０】
また、顔照合の再開は、電源ＯＦＦ後の電源ＯＮに限らず、設定画面で設定された定時刻（例えば毎日午前０時、１時間毎等）となった場合に再開する、利用者による使用が終了した後、次の使用時に再開するといった構成としてもよい。ここでの使用には、通話の使用、ＷＥＢ閲覧の使用、メール送受信の使用、及び設定変更の使用等を含めることができる。これにより、顔照合の停止状態が長期間継続することをより確実に防止できる。
【００６１】
また、認証の繰り返しをすぐに停止できるように、顔照合実施入力を受け付ける入力手段（例えば顔照合用ボタン、あるいは、液晶モニタ１４に表示した顔照合ボタンを選択操作できるボタン）を設けてもよい。この場合は、不定期に行われる顔照合を待たずとも、任意のタイミングで顔照合及びパスワード入力を実行でき、不定期照合の停止を行うことができる。
【００６２】
また、被写体認証装置１は、携帯電話機により構成する場合に限らず、ＰＤＡやノート型パソコン等の他の携帯情報端末により構成する、あるいは、デスクトップ型パソコンやＡＴＭなどの他の機器によって構成するなど、適宜の構成とすることができる。この場合も携帯情報端末や機器等に備えられたカメラ等を用いて顔照合を反復して実行することができ、必要に応じて反復を停止することができる。
【００６３】
この発明の構成と、上述の実施形態との対応において、
この発明の顔認証装置及び携帯電話機は、実施形態の被写体認証装置１に対応し、
以下同様に、
制御手段は、被写体認証装置１の制御装置に対応し、
撮影手段は、カメラ１２に対応し、
入力手段は、操作ボタン１６に対応し、
認証処理は、ステップｎ３〜ｎ４に対応し、
認証反復処理は、ステップｎ７に対応し、
反復停止指示受付処理は、ステップｎ９に対応し、
真偽判定処理は、ステップｎ９〜ｎ１０に対応し、
反復停止処理は、ステップｎ１２〜ｎ１３に対応し、
認証再開処理は、ステップｎ１３に対応し、
反復停止指示は、パスワード入力に対応し、
正規指示は、登録されたパスワードに対応し、
予め定めたタイミングは、ランダムに決定した時間に対応するも、
この発明は、上述の実施形態の構成のみに限定されるものではなく、多くの実施の形態を得ることができる。
【図面の簡単な説明】
【００６４】
【図１】被写体認証装置の斜視図。
【図２】被写体認証装置の構成を示すブロック図。
【図３】制御部が実行する動作を示すフローチャート。
【図４】タイミングチャート。
【符号の説明】
【００６５】
１…被写体認証装置
１２…カメラ
１６…操作ボタン
【図１】
2006259922.tif 000003
【図２】
2006259922.tif 000004
【図３】
2006259922.tif 000005
【図４】
2006259922.tif 000006